(57)【要約】【課題】  脱酸素剤や乾燥剤等の梱包対象物の品質を一定期間保持する部材が梱包対象物と一緒に、開封時飛び出すことを防止する。【解決手段】  周縁部がシールされた収納袋である２室滅菌袋１であって,前記収納袋が通気性部材３０により２室に仕切られており,前記通気性部材３０は対向する２辺と当該２辺に隣接する少なくとも一方の辺が前記周縁部シールでシールされている。  前記通気性部材３０は対向する２辺と当該２辺に隣接する他方の辺もシールされているものでも良い。【選択図】図１
2019081556.tif 000002
【特許請求の範囲】
【請求項１】
周縁部がシールされた収納袋であって,前記収納袋が通気性部材により２室に仕切られており,前記通気性部材は対向する２辺と当該２辺に隣接する少なくとも一方の辺が前記周縁部シールでシールされていることを特徴とする２室滅菌袋。
【請求項２】
前記通気性部材は対向する２辺と当該２辺に隣接する他方の辺もシールされていることを特徴とする請求項１に記載の２室滅菌袋。
【請求項３】
前記通気性部材は対向する２辺と当該２辺に隣接する少なくとも一方の辺の他方の辺は、折りたたまれた請求項１に記載の２室滅菌袋。
【請求項４】
前記通気性部材で仕切られた前記２室中の１室を収納袋の一部に設けたことを特徴とする請求項１または２に記載の２室滅菌袋。
【請求項５】
前記通気性部材で仕切られた前記２室中の１室に脱酸素剤や乾燥剤等の梱包保全材料を充填した請求項１または２に記載の２室滅菌袋。
【発明の詳細な説明】
【技術分野】
【０００１】
本発明は、医療器具、医療部材関連に関する包装材の滅菌材や乾燥剤の収納に使用する滅菌袋に関するものである。
【背景技術】
【０００２】
特許文献１は、食品包装袋の内部をヒートシール性の内装として、脱酸素剤の小袋を食品包装袋の内面に接着して、袋内の酸素を吸着したものが開示されている。
【０００３】
特許文献２には、食品を包装する袋の内部に、脱酸素剤を封入した通気性素材からなる小袋の該側面に接着剤層を設けて、袋内の内面に接着して袋内の酸素を吸着したものが開示されている。
【０００４】
特許文献３は、袋内面部と貼着した熱接着剤紙の間に、脱酸剤の袋を封入したものであり、袋の製造工程で、脱酸剤を袋の内面に固定する。
【０００５】
従来の水分や酸素に影響を受ける医療器具、医療部材関連技術は、乾燥剤や脱酸素剤等を医療器具等と同時に梱包してその影響を抑えており、具体的には２枚合わせ(片面フィルムで片面滅菌紙)の滅菌袋に入れ更にバリア包装袋に脱酸素剤や乾燥剤と共に入れ密封されＥＢやγ滅菌を行なっていた。
【先行技術文献】
【特許文献】
【０００６】
【特許文献１】実開昭６０−７５２６４号公報
【特許文献２】実開昭６０−７５２６５号公報
【特許文献３】実開昭６３−１２８９７０号公報
【発明の概要】
【発明が解決しようとする課題】
【０００７】
特許文献１と２では、接着が不完全であると脱酸剤が、食品と混同する可能性があった。特許文献３では、両面性熱接着性被覆に穴あけ作業を行い、脱酸剤が脱落する恐れがあり、また食品袋を回収する際に、脱酸剤を袋から遊離する作業が必要であった。
【０００８】
従来の水分や酸素に影響を受ける医療器具、医療部材関連技術は、乾燥剤や脱酸素剤等を医療器具等と同時に梱包していたので、袋を開けた際に脱酸素剤や乾燥剤が飛び出してきてしまうという問題が有った。同様に包装が２重袋となり非常に高価なものとなっていた。本発明は、従来のバリア性を有する包装袋に通気性の有る通気性部材を挿入し、片側に下駄シールすることで２室化して、脱酸素剤や乾燥剤と医療器具と分離することができ開封後に脱酸素剤や乾燥剤の脱落・飛び出しを防止することができる２室滅菌袋を提供すことを目的とする。
【課題を解決するための手段】
【０００９】
本発明の請求項１は、周縁部がシールされた収納袋であって,前記収納袋が通気性部材により２室に仕切られており,前記通気性部材は対向する２辺と当該２辺に隣接する少なくとも一方の辺が前記周縁部シールでシールされている２室滅菌袋である。
【００１０】
また、本発明の請求項２は、請求項１の２室滅菌袋について、前記通気性部材は対向する２辺と当該２辺に隣接する他方の辺もシールされている２室滅菌袋である。
【００１１】
なお、請求項１に記載の２室滅菌袋は、前記通気性部材は対向する２辺と当該２辺に隣接する少なくとも一方の辺の他方の辺は、折りたたまれたものを含む。更に請求項１乃至２の２室滅菌袋は、前記通気性部材で仕切られた前記２室中の１室を収納袋の一部に設けたものを含む。又請求項１乃至２の２室滅菌袋は、前記通気性部材で仕切られた前記２室中の１室に脱酸素剤や乾燥剤等の梱包保全材料を充填したものを含む。
【発明の効果】
【００１２】
請求項１に記載の発明によれば、周縁部がシールされた収納袋であって,前記収納袋が通気性部材により２室に仕切られており,前記通気性部材は対向する２辺と当該２辺に隣接する少なくとも一方の辺が前記周縁部シールでシールされている２室滅菌袋なので、梱包対象物を開封する際に、脱酸素剤や乾燥剤等の梱包対象物の品質を一定期間保持する部材が、梱包対象物と一緒に落下する事がなくなった。
【００１３】
請求項２に記載の発明も同様の効果を奏する。
【図面の簡単な説明】
【００１４】
【図１】（ａ）は、本発明の第１実施例の説明図であり、（ｂ）は、本発明の第２実施例である。
【図２】（ｃ）は、本発明の第３実施例の説明図であり、（ｄ）は、本発明の第４実施例の説明図である。
【図３】（１）、（２）、（３）は、図１（ａ）の第１実施例の使用を図式化した説明図
【図４】（ａ）は、本発明の第１乃至第３実施例の通気性部材３０の正面図、（ｂ）は本発明の第４実施例の通気性部材３０の正面図
【発明を実施するための形態】
【００１５】
以下、図面を参照しつつ、この発明の実施の形態について詳述する。図１（ａ）は、本発明の第１実施例であり、収納袋である２室滅菌袋１は、矩形状の多層フィルムである基材本体１０、１２を、前後にヒートシールで貼り合わせる。基材本体１０、１２の周縁部である上辺（１４Ｕ）及び左辺（１４Ｌ）、下辺（１４Ｄ）、コーナ辺（１４Ｂ）を先にシールして貼張り合わせてある。コーナ辺（１４Ｂ）は開封口になる為、弱接着（イージピール）されている。基材本体１０、１２の右辺（１４Ｒ）は未シール状態になっている。
【００１６】
基材本体１０、１２の上半分の間には矩形状の通気性部材３０が挟み込まれており、通気性部材３０の上辺（３０Ｕ）と左辺（３０Ｌ）は、基材本体１０、１２の上辺１４Ｕと左辺１４Ｌをヒートシール時に同時にシールすると効率的である。他方通気性部材３０の下辺（３０Ｄ）は、基材本体１０の上下の中間部分の内側に、シール（３０Ｓ）される。通気性部材３０の右辺（３０Ｒ）は未シール状態になっている。
【００１７】
通気性部材３０は通気性とシール性の有る素材を使用する。通気性部材３０の右辺部分から内部に、脱酸素剤３４や乾燥材３６が収納される。同様に基材本体１０、１２の右辺（１４Ｒ）から、医療器具４０等が収容される。１６は、未シール開封端であり、ここをきっかけにしてコーナ辺（１４Ｂ）開封して、この医療器具４０等を取り出せる。なお未シールの基材本体１０、１２の周縁部である右辺（１４Ｒ）は、医療器具４０等を基材本体１０、１２の間に、脱酸素剤３４や乾燥材３６を通気性部材３０内に収納した後、後でシールされる。医療器具はカテーテルや輸液チューブなどである。
【００１８】
この際通気性部材３０の右辺（３０Ｒ）も基材本体１０、１２の周縁部である右辺（１４Ｒ）とともに後でシールされる。
【００１９】
通気性部材３０は、図４の（a）の構成になっており、上辺（３０Ｕ）と下辺（３０Ｄ）、左辺（３０Ｌ）と右辺（３０Ｒ）とからなる、矩形状になっている。
【００２０】
以上のように本発明の第１実施例では、収納袋である２室滅菌袋１は、基材本体１０、１２の上辺（１４Ｕ）及び左辺（１４Ｌ）、下辺（１４Ｄ）を前にシールされ、基材本体１０、１２の右辺（１４Ｒ）が後でシールされて、前記収納袋の周縁部がシールされており、前記収納袋は、通気性部材３０により２室に仕切られている。通気性部材３０の右辺（３０Ｒ）と左辺（３０Ｌ）は、基材本体１０、１２の周縁部の左辺（１４Ｌ）と右辺（１４Ｒ）にシールされている。通気性部材３０の上辺（３０Ｕ）は、基材本体１０、１２の周縁部の上辺（１４Ｕ）にシールされている。通気性部材３０の下辺（３０Ｄ）は、基材本体１０の上下の中間部分の内側に、シール（３０Ｓ）されている。
【００２１】
よって、図１（ａ）の本発明の第１実施例は、周縁部がシールされた収納袋であって,前記収納袋が通気性部材により２室に仕切られており,前記通気性部材は対向する２辺（３０Ｒ、３０Ｌ）と当該２辺に隣接する上辺（３０Ｕ）が前記周縁部シールでシールされていることになる。
【００２２】
また、通気性部材３０の下辺（３０Ｄ）は、基材本体１０の上下の中間部分の内側に、シール（３０Ｓ）されている。
【００２３】
図１（ｂ）は、本発明の第２実施例であるが、第１実施例との違いは、前シールが、基材本体１０、１２の上辺（１４Ｕ）及び左辺（１４Ｌ）、下辺（１４Ｄ）の三隅にしてあり、未シール開封端１６は存在しない。その代わりに開封ノッチ１８が、左辺（１４Ｌ）の下側に設けてある。又通気性部材３０は、図４の（a）の構成になっている点で第１実施例と同じである。
【００２４】
よって、図１（ｂ）の本発明の第２実施例は、第１実施例と同様に、周縁部がシールされた収納袋であって,前記収納袋が通気性部材により２室に仕切られており,前記通気性部材は対向する２辺（３０Ｒ、３０Ｌ）と当該２辺に隣接する上辺（３０Ｕ）が前記周縁部シールでシールされていることになる。また、通気性部材３０の下辺は、基材本体１０の上下の中間部分の内側に、シール（３０Ｓ）されている。
【００２５】
図２（ｃ）は、本発明の第３実施例であり、前シール部分が異なる。即ち収納袋である２室滅菌袋１の基材本体１０、１２の上辺（１４Ｕ）は、未シール状態になっており、基材本体１０、１２の左辺（１４Ｌ）、下辺（１４Ｄ）、右辺（１４Ｒ）は、先にシールされている。通気性部材３０の右辺（３０Ｒ）と左辺（３０Ｌ）は、基材本体１０、１２の左辺（１４Ｌ）、右辺（１４Ｒ）をヒートシール時に同時に先にシールする。
【００２６】
基材本体１０の上辺（１４Ｕ）と通気性部材３０間に、脱酸素剤３４や乾燥材３６を通気性部材３０内に収納される。基材本体１２の上辺（１４Ｕ）と通気性部材３０間に、医療器具４０等が収納され、基材本体１０、１２の上辺（１４Ｕ）及び通気性部材３０の上辺（３０Ｕ）は、後でシールされる。この実施例では、開封ノッチ１８が、左辺（１４Ｌ）の下側と右辺（１４Ｒ）の下側に設けてある。他方通気性部材３０の下辺（３０Ｄ）は、基材本体１０の上下の中間部分の内側に、シールされている。
【００２７】
なお、通気性部材３０は、図４の（a）の構成になっている点で第１実施例と同じである。
【００２８】
以上のように本発明の第３実施例では、収納袋である２室滅菌袋１は、周縁部がシールされた収納袋であって,基材本体１０、１２の周縁部である左辺（１４Ｌ）、下辺（１４Ｄ）、右辺（１４Ｒ）は、前にシールされており、基材本体１０、１２の周縁部である上辺（１４Ｕ）及び通気性部材３０の上辺（３０Ｕ）は、後でシールされる。
【００２９】
前記収納袋は、通気性部材３０により２室に仕切られている。通気性部材３０の右辺（３０Ｒ）と左辺（３０Ｌ）は、基材本体１０、１２の周縁部の左辺（１４Ｌ）と右辺（１４Ｒ）にシールされている。通気性部材３０の上辺（３０Ｕ）は、基材本体１０、１２の周縁部の上辺（１４Ｕ）にシールされている。通気性部材３０の下辺（３０Ｄ）は、基材本体１０の上下の中間部分の内側に、シール（３０Ｓ）されている。
【００３０】
以上のように本発明の第３実施例では、よって、図２（ｃ）の本発明の第３実施例は、周縁部がシールされた収納袋であって,前記収納袋が通気性部材により２室に仕切られており,前記通気性部材は対向する２辺（３０Ｒ、３０Ｌ）と当該２辺に隣接する上辺（３０Ｕ）が前記周縁部シールでシールされていることになる。
【００３１】
また、通気性部材３０の下辺は、基材本体１０の上下の中間部分の内側に、シール（３０Ｓ）されている。
【００３２】
図２（ｄ）は、本発明の第４実施例であり、先にするシール部分が異なり、通気性部材３０に位置も異なっている。即ち基材本体１０、１２の上辺（１４Ｕ）と下辺（１４Ｄ）は、未シール状態になっており、基材本体１０、１２の左辺（１４Ｌ）、右辺（１４Ｒ）は、先にシールにされている。通気性部材３０は、図４（ｂ）で示すように真中（３０Ｕ）で折りたたまれて（３０Ｆ、３０Ｂ）、通気性部材３０Ｆ、３０Ｂの右辺（３０Ｒ）と左辺（３０Ｌ）は、基材本体１０、１２の左辺（１４Ｌ）、右辺（１４Ｒ）と共に、先にシールされ、通気性部材３０の下辺（３０Ｄ）の中央部（３０ＤＣ）を除く部分及び基材本体１０、１２の下辺（１４Ｄ）の中央部（１４ＤＣ）を除く部分が、先にシールされている。基材本体１０、１２の下辺（１４Ｄ）と通気性部材３０Ｆ、３０Ｂ間に、脱酸素剤３４や乾燥材３６が前記中央部（１４ＤＣ、３０ＤＣ）から収納されて、後でシールされる。この時通気性部材３０の下辺（３０Ｄ）の全体が後でシールされる。
【００３３】
又基材本体１０、１２の上辺（１４Ｕ）間に医療器具４０等が収納されて、後でシールされる。この実施例では、開封ノッチ１８が、左辺（１４Ｌ）の上側と右辺（１４Ｒ）の上側に設けてある。なお、通気性部材３０の基材本体１０、１２の上辺（１４Ｕ）側にシールしても良い。
【００３４】
以上から、本発明の第４実施例の通気性部材３０は、図４の（ｂ）の構成になっており、上辺（３０Ｕ）に相当する部分は、中央の点線部分であり、下辺（３０Ｄ）に相当する部分は上部の辺と下部の辺である。左辺（３０Ｌ）と右辺（３０Ｒ）は、中央部の点線で折りたたまれるので、高さ的には半分になる。折りたたまれた前面は、３０Ｆであり、後面は３０Ｂとなる。通気性部材３０の大きさは半分になり、上辺（３０Ｕ）と下辺（３０Ｄ）、左辺（３０Ｌ）と右辺（３０Ｒ）から構成される矩形状になっている。
【００３５】
以上のように本発明の第４実施例では、収納袋である２室滅菌袋１は、周縁部がシールされた収納袋であって,基材本体１０、１２の周縁部である左辺（１４Ｌ）、右辺（１４Ｒ）は、先にシールされており、基材本体１０、１２の周縁部である下辺（１４Ｄ）の中央部（１４ＤＣ）を除く部分及び通気性部材３０の下辺（３０Ｄ）の中央部（３０ＤＣ）を除く部分は、先にシールされた後、脱酸素剤３４や乾燥材３６等を収納後、全部後シールされる。前記収納袋は、通気性部材３０により２室に仕切られている。通気性部材３０の左辺（３０Ｌ）と右辺（３０Ｒ）は、基材本体１０、１２の周縁部の左辺（１４Ｌ）と右辺（１４Ｒ）にシールされている。
【００３６】
通気性部材３０の下辺（３０Ｄ）は、基材本体１０、１２の周縁部である下辺（１４Ｄ）にシールされる。
【００３７】
基材本体１０、１２の周縁部である上辺（１４Ｕ）も、医療器具４０等を収容した後にシールされる。
【００３８】
以上のように本発明の第４実施例では、周縁部がシールされた収納袋であって,前記収納袋が通気性部材により２室に仕切られており,前記通気性部材は対向する２辺（３０Ｌ、３０Ｒ）と当該２辺に隣接する下辺（３０Ｄ）が前記周縁部シールでシールされていることになる。
また、通気性部材３０の上辺（３０Ｕ）は折りたたまれて（３０Ｆ、３０Ｂ）、フリーになっている。
【００３９】
以上のように、本発明の第４実施例は、周縁部がシールされた収納袋であって,前記収納袋が通気性部材により２室に仕切られており,前記通気性部材は対向する２辺（３０Ｌ、３０Ｒ）と当該２辺に隣接する一方の辺（３０Ｕ）が前記周縁部シールでシールされている。
【００４０】
そして本発明の第１実施例から第３実施例で共通しているところは、前記通気性部材は対向する２辺（３０Ｌ、３０Ｒ）に隣接する他方の辺（３０Ｄ）もシールされていることである。
【００４１】
図３の（１）、（２）、（３）は、図１（ａ）の第１実施例を使用して脱酸素剤３４や乾燥材３６と医療器具４０等を収納する経過を図式化したものである。図３（１）は、未収納状態を表している。図３（２）は、脱酸素剤３４や乾燥材３６を通気性部材３０の右辺部分から内部に収納された状態を示している。図３（３）は、基材本体１０、１２の右辺（１４Ｒ）から、医療器具４０等が収容される。その後未シールの基材本体１０、１２の右辺（１４Ｒ）は、後でシールされる。
【００４２】
以上のように、本発明は、周縁部がシールされた収納袋であって,多層フィルムである基材本体とその一部に通気性部材を設け、基材本体の中に通気性部材で囲まれた領域を設けて前にシールし、基材本体の一部から、基材本体内及び通気性部材内に、それぞれ梱包対象物と脱酸素剤や乾燥剤等の梱包対象物の品質を一定期間保持する部材を充填し、基材本体と通気性部材の一部を後でシールすることで、基材本体及び通気性部材内の気密性を確保出来るようにしたものである。
基材本体１０、１２は、以下の多層フィルムにより、製作される。
【００４３】
印刷基材(ＰＥＴ12〜25μm、ＯＮＹ15〜25μm、ＯＰＰ20〜50μm)、バリア基材(透明蒸着ＰＥＴ12〜16μm、透明蒸着ＯＮＹ15〜25μm、バリアＯＮＹ15〜25μm、ＥＶＯＨ15〜30μm、ＡＬ6〜50μm、ＡＬ蒸着ＰＥＴ9〜16μmなど)、ヒートシール基材(ＬＬＤＰＥＦ25〜100μm、ＬＤＰＥＦ25〜100μm、ＣＰＰ20〜100μm、イージーピールシーラント20〜80μmなど)ヒートシール層はフィルムでは無く、押し出しの樹脂(ＬＬＤＰＥ20〜80μm、ＬＤＰＥ20〜80μm、ＥＭＡＡ20〜80μm、ＥＶＡ20〜80μmなど)でも良く３層を基本構成とし、ラミネート方式はドライラミネートでも押し出しラミネートのどちらでも可能とする。バリア基材を印刷基材として兼用する事も可能である。
【００４４】
本体の突き刺し強度などを補完したい場合は、ＯＮＹやＰＢＴ、ＰＥＴなどをバリア基材より内側に追加し４層構成にしても良い。
なお層構成の例を挙げると
構成（１）・・ＰＥＴ／接着剤／ＡＬ／接着剤／ＰＥＦ
構成（２）・・ＰＥＴ／接着剤／ＡＬ／接着剤／ＯＮＹ／接着剤／ＰＥＦ
構成（３）・・ＰＥＴ／接着剤／透明蒸着ＰＥＴ／接着剤／ＰＥＦ
構成（４）・・ＯＮＹ／接着剤／ＡＬ／接着剤／ＰＥＦ
構成（５）・・ＰＥＴ／ＰＥ／ＡＬ／ＰＥ／ＰＥＦ
構成（６）・・ＰＥＴ／ＰＥ／ＡＬ／ＰＥ／ＰＥ
【００４５】
２室滅菌袋１の製造方法は以下のように実施する。基材本体１０、１２の印刷工程で絵柄印刷(水性系、溶剤系：アクリル系、硝化綿系、ウレタン系等)を印刷する。印刷方式は、グラビア印刷かフレキソ印刷が可能である。
【００４６】
ラミネート方式は、ドライラミネートまたは押し出しラミネートでバリア基材、突き刺し強度補完基材、シーラントの順に貼り合わせていく。基材本体１０、１２の製袋時に通気性部材３０を挿入しながら製袋加工を行なう。
【００４７】
通気性部材３０は、通気性とシール性の有る素材で、タイベック59.5〜74.6g/m2や不織布15〜110g/m2、ＬＤＰＥＦ50〜150μmやＬＬＤＰＥＦ50〜150μmにレーザーや熱針などで貫通口を開けたフィルムなどを使用する。穴の大きさや数・形状は、通気させたい量や医療器具の形状・大きさなどの状況に応じて変化させる。またタイベックや不織布は、シール強度の安定化のためＥＶＡやアクリル系のシール剤を塗布しても良い。
通気性部材３０の素材構成を挙げると
構成（１）・・タイベック
構成（２）・・タイベック／ヒートシール剤
構成（３）・・不織布
構成（４）・・ＰＥＦ／穴あけ加工
【００４８】
２室滅菌袋１の具体的に製造した実施例を挙げると
実施品（対象品）
本体：PET16μm／AL15μm／ONY25μm／PEF30μm 
通気性部材：タイベック74.6g/m2／シール剤
基材本材１０、１２は以下の製造方法を実施した。
【００４９】
グラビア印刷をもちいて、ＰＥＴ16μm(E5102)のコロナ処理面へウレタン系インキ（ＥＣＯＳ：ＤＩＣグラフィックス社製）で印刷する。印刷面側に、バリア基材として厚さ15μmのアルミ箔を、２液硬化型ポリウレタン接着剤（ＲＵ０７７／Ｈ７＝主剤／硬化剤：ロックペイント製）を用いてドライラミネートする。更にアルミ箔面側に、耐摩耗性・耐ピンホール性向上させるため、ＯＮＹ25μmを、２液硬化型ポリウレタン接着剤（ＲＵ０７７／Ｈ７＝主剤／硬化剤：ロックペイント製）を用いてドライラミネートする。最後にヒートシール基材としてＰＥＦ30μm(SMX-Y04)(イーシ゛ーヒ゜ールシーラント)を同じく２液硬化型ポリウレタン接着剤（ＲＵ０７７／Ｈ７＝主剤／硬化剤：ロックペイント製）を用いてドライラミネートする。
【００５０】
通気性部材３０は、タイベック74.6g/m2 (1073B)にEVA系ヒートシール剤をコーティングした。
基材本材１０、１２の製袋時に通気性部材３０を挿入しながら製袋加工を行なった。
【００５１】
この発明は上述の例に限定されるものではなく、発明の主旨を逸脱しない範囲内であらゆる形態を取ることができる。
【産業上の利用可能性】
【００５２】
本発明は、多層フィルムである基材本体とその一部に通気性部材を設け、基材本体の中に通気性部材で囲まれた領域を設けたので、幅広い梱包対象物と脱酸素剤や乾燥剤等の梱包対象物の品質を一定期間保持する部材の充填に利用できる。
【符号の説明】
【００５３】
１  ２室滅菌袋（周縁部がシールされた収納袋）
１０、１２  基材本体
１４Ｕ  上辺
１４Ｌ  左辺
１４Ｄ  下辺
１４Ｒ  右辺
１６  未シール開封端
１８  開封ノッチ
３０  通気性部材
３４  脱酸素剤
３６  乾燥材
４０  医療器具
【図１】
2019081556.tif 000003
【図２】
2019081556.tif 000004
【図３】
2019081556.tif 000005
【図４】
2019081556.tif 000006